(57)【要約】【課題】ブランク期間を設けなくてもゴーストの発生を抑えることができる表示装置を提供する。【解決手段】表示装置１は、重ねて配置されているスクリーン１３ａ、１３ｂ、１３ｃ、１３ｄと、スクリーン１３ａ、１３ｂ、１３ｃ、１３ｄを、観察者から離れた位置に画像を形成するスクリーン１３ａから観察者に近い位置に画像を形成するスクリーン１３ｂに向かって順次投影光を透過する透過状態から投影光を散乱する散乱状態に切り替えるスクリーン駆動装置８と、を備えている。そして、スクリーン駆動装置８は、スクリーン１３ａ、１３ｂ、１３ｃ、１３ｄのうち散乱状態であるスクリーン１３ａに隣接するスクリーン１３ｂが透過状態から散乱状態となったときに、スクリーン１３ａを透過状態に切り替え始める。【選択図】図１
2017183874.tif 000002
【特許請求の範囲】
【請求項１】
重ねて配置されている複数の表示部と、
前記複数の表示部を、観察者から離れた位置に画像を形成する前記表示部から観察者に近い位置に画像を形成する前記表示部に向かって順次、光を透過する透過状態から前記光を散乱する散乱状態に切り替える制御部と、を備え、
前記制御部は、前記複数の表示部のうち前記散乱状態である一の表示部に隣接する他の表示部が前記透過状態から前記散乱状態となった以後に、前記一の表示部を前記透過状態に切り替え始める、
ことを特徴とする表示装置。
【請求項２】
前記制御部は、前記複数の表示部のうちの前記散乱状態である前記一の表示部に隣接する前記他の表示部が前記透過状態から前記散乱状態となったときに、前記一の表示部を前記透過状態に切り替え始めることを特徴とする請求項１に記載の表示装置。
【請求項３】
前記表示部が表示した画像を観察者に反射する反射部を更に備え、
前記画像は、観察者から虚像として観察されることを特徴とする請求項１または２に記載の表示装置。
【請求項４】
前記複数の表示部に投影光を投影する投影部を更に備え、
前記投影部は、レーザ光による光源と、投影する映像の垂直方向の走査を前記一の表示部の一方から他方に行った後に前記他の表示部の他方から一方へ行う走査部と、を備える、
ことを特徴とする請求項１乃至３のうちいずれか一項に記載の表示装置。
【請求項５】
重ねて配置される複数の表示部を備える表示装置の表示方法であって、
前記複数の表示部を、観察者から離れた位置に画像を形成する前記表示部から観察者に近い位置に画像を形成する前記表示部に向かって順次、光を透過する透過状態から前記光を散乱する散乱状態に切り替える制御工程を含み、
前記制御工程は、前記複数の表示部のうち前記散乱状態である一の表示部に隣接する他の表示部が前記透過状態から前記散乱状態となった以後に、前記一の表示部を前記透過状態に切り替え始める、
ことを特徴とする表示方法。
【請求項６】
請求項５に記載の表示方法を、コンピュータにより実行させることを特徴とする表示プログラム。
【請求項７】
請求項６に記載の表示プログラムを格納したことを特徴とするコンピュータ読み取り可能な記録媒体。
【発明の詳細な説明】
【技術分野】
【０００１】
本発明は、表示装置に関する。
【背景技術】
【０００２】
奥行き感を持った表示（立体表示）をする表示装置として様々な方式が提案されている。その中でも、奥行き標本化方式は、両目視差を用いる二眼式立体表示と比較して偏光眼鏡等が不要となり、簡便に立体表示をすることが可能である。
【０００３】
奥行き標本化方式を用いた表示装置の例として、特許文献１には、散乱状態と透過状態とに切り替え可能な液晶セルが積層されたスクリーンを有し、このスクリーンの液晶セルのいずれか一つ（１層）を散乱状態として画像を表示する。そして、順次他の層に切り替えて画像を表示することで、奥行き標本化方式による立体表示を行うことが記載されている。
【先行技術文献】
【特許文献】
【０００４】
【特許文献１】特開２００２−１３９７００号公報
【発明の概要】
【発明が解決しようとする課題】
【０００５】
しかしながら、特許文献１に示された方法の場合、各層の切り替え時には、先に散乱状態となっていた層の透過率が十分に上昇してから次の層を散乱状態にして映像を表示するために、ブランク期間を設けることが一般的である。ブランク期間を設けると、層の切り替え時に投影光が投影されてしまうと突き抜け光として観察者が眩しく難じる場合がある。したがって、ブランク期間を短くするためには、液晶セルの高速応答性が必要となりコストアップとなってしまう。
【０００６】
また、ブランク期間を設けないと、先に散乱状態となっていた層が次に散乱状態となる層よりも観察者側前にあった場合、先の層の透過率が下がりきらないため、ゴースト（二重像）が観察されてしまう場合がある。
【０００７】
そこで、本発明は、上述した問題に鑑み、例えば、ブランク期間を設けなくてもゴーストの発生を抑えることができる表示装置を提供することを課題とする。
【課題を解決するための手段】
【０００８】
上記課題を解決するため請求項１に記載の発明は、重ねて配置されている複数の表示部と、前記複数の表示部を、観察者から離れた位置に画像を形成する前記表示部から観察者に近い位置に画像を形成する前記表示部に向かって順次、光を透過する透過状態から前記光を散乱する散乱状態に切り替える制御部と、を備え、前記制御部は、前記複数の表示部のうち前記散乱状態である一の表示部に隣接する他の表示部が前記透過状態から前記散乱状態となった以後に、前記一の表示部を前記透過状態に切り替え始める、ことを特徴とする表示装置である。
【０００９】
請求項５に記載の発明は、重ねて配置される複数の表示部を備える表示装置の表示方法であって、前記複数の表示部を、観察者から離れた位置に画像を形成する前記表示部から観察者に近い位置に画像を形成する前記表示部に向かって順次、光を透過する透過状態から前記光を散乱する散乱状態に切り替える制御工程を含み、前記制御工程は、前記複数の表示部のうち前記散乱状態である一の表示部に隣接する他の表示部が前記透過状態から前記散乱状態となった以後に、前記一の表示部を前記透過状態に切り替え始める、
ことを特徴とする表示方法である。
【００１０】
請求項６に記載の発明は、請求項５に記載の表示方法を、コンピュータにより実行させることを特徴とする表示プログラムである。
【００１１】
請求項７に記載の発明は、請求項６に記載の表示プログラムを格納したことを特徴とするコンピュータ読み取り可能な記録媒体である。
【図面の簡単な説明】
【００１２】
【図１】本発明の第１の実施例にかかる表示装置の概略構成図である。
【図２】図１に示されたスクリーンの模式的な断面図である。
【図３】図１に示された表示装置の動作のタイミングチャートである。
【図４】従来技術にかかる散乱状態と透過状態を切り替えについての説明図である。
【図５】図１に示された表示装置にかかる散乱状態と透過状態を切り替えについての説明図である。
【図６】本発明の第２の実施例にかかる表示装置を備えたヘッドアップディスプレイの概略構成図である。
【図７】本発明の第３の実施例にかかる表示装置のレーザプロジェクタの概略構成図である。
【図８】図７に示されたレーザプロジェクタの走査動作のタイミングチャートである。
【発明を実施するための形態】
【００１３】
以下、本発明の一実施形態にかかる表示装置を説明する。本発明の一実施形態にかかる表示装置は、重ねて配置されている複数の表示部と、複数の表示部を、観察者から離れた位置に画像を形成する表示部から観察者に近い位置に画像を形成する表示部に向かって順次、光を透過する透過状態から光を散乱する散乱状態に切り替える制御部と、を備えている。そして、制御部は、複数の表示部のうち散乱状態である一の表示部に隣接する他の表示部が透過状態から散乱状態となった以後に、一の表示部を透過状態に切り替え始める。このようにすることにより、観察者から離れた画像を形成する表示部から順次散乱状態にするので、観察者側の層の散乱状態によるゴーストが観察されにくくなる。よって、ブランク期間を設けなくてもゴーストの発生を抑えることができる。
【００１４】
また、制御部は、複数の表示部のうちの散乱状態である一の表示部に隣接する他の表示部が透過状態から散乱状態となったときに、一の表示部を透過状態に切り替え始めてもよい。このようにすることにより、他の表示部が散乱状態に切り替わりきったと同時に一の表示部を透過状態に切り替え始めるので、一の表示部と他の表示部との切替期間を最小にすることができる。したがって、ブランク期間を設けずに他の表示部へ切り替えることができる。また、表示部の応答時間を見かけ上短縮できる。
【００１５】
また、表示部が表示した画像を観察者に反射する反射部を更に備え、画像は、観察者から虚像として観察されるようにしてもよい。このようにすることにより、虚像が観察者から離れた位置に形成される表示部から順次散乱状態にするため、虚像を利用して奥行き感を持った表示をゴーストの発生を抑えてすることができる。
【００１６】
また、複数の表示部に投影光を投影する投影部を更に備え、投影部は、レーザ光による光源と、投影する映像の垂直方向の走査を一の表示部の一方から他方に行った後に他の表示部の他方から一方へ行う走査部と、を備えるものであってもよい。このようにすることにより、表示部の切り換えの際に投影部はブランキング期間を設ける必要なく走査をすることができる。
【００１７】
また、本発明の一実施形態にかかる表示方法は、重ねて配置される複数の表示部を、観察者から離れた位置に画像を形成する表示部から観察者に近い位置に画像を形成する表示部に向かって順次、光を透過する透過状態から光を散乱する散乱状態に切り替える制御工程を含んでいる。そして、制御工程は、複数の表示部のうち散乱状態である一の表示部に隣接する他の表示部が透過状態から散乱状態となった以後に、一の表示部を透過状態に切り替え始める。このようにすることにより、ブランク期間を設けずに他の表示部へ切り替えることができる。また、観察者から離れた画像を形成する表示部から順次散乱状態にするので、前の層の散乱状態によるゴーストが観察されにくくなる。よって、ブランク期間を設けなくてもゴーストの発生を抑えることができる。
【００１８】
また、上述した表示方法を、コンピュータにより実行させることを特徴とする表示プログラムとしてもよい。このようにすることにより、コンピュータを用いて、ブランク期間を設けずに他の表示部へ切り替えることができる。また、観察者から離れた画像を形成する表示面となる表示部から順次散乱状態にするので、前の層の散乱状態によるゴーストが観察されにくくなる。よって、ブランク期間を設けなくてもゴーストの発生を抑えることができる。
【００１９】
また、上述した表示プログラムをコンピュータ読み取り可能な記録媒体に格納してもよい。このようにすることにより、当該プログラムを機器に組み込む以外に単体でも流通させることができ、バージョンアップ等も容易に行える。
【実施例１】
【００２０】
本発明の第１の実施例にかかる表示装置１を図１乃至図５を参照して説明する。表示装置１は、図１等に示したように、プロジェクタ３からの投影光を表示する装置であり、映像制御装置６と、スクリーン駆動装置８と、スクリーン１３と、を備えている。
【００２１】
プロジェクタ３は、例えばＬＥＤ（発光ダイオード）等を光源として表示させたい映像をミラー４を介して表示装置１のスクリーン１３に投射する。投射された映像はスクリーン１３に表示（形成）される。
【００２２】
映像制御装置６は、外部から入力された映像（画像）又は内部に記憶されている映像等をプロジェクタ３に出力する。
【００２３】
スクリーン駆動装置８は、後述するスクリーン１３に対する駆動を行うために、スクリーン１３ａ、１３ｂ、１３ｃ、１３ｄの透過状態／散乱状態の制御やプロジェクタ３の投影タイミングの制御等を行う。
【００２４】
表示部としてのスクリーン１３は、４つのスクリーン１３ａ、１３ｂ、１３ｃ、１３ｄからなる。スクリーン１３ａ、１３ｂ、１３ｃ、１３ｄは、観察者の視線方向（プロジェクタ３の投影光の投影方向）に沿って表示面が互いに重なるように配置されている。
【００２５】
また、本実施例におけるスクリーン１３は、電圧の印加により光学状態が変化するスクリーンが使用されている。スクリーン１３の光学状態は、散乱状態が映像状態であり、それよりも入射光の散乱が小さく且つ平行光線透過率が高い透明な透過状態が非映像状態である。即ち、光に対し透過状態と散乱状態とを切り替え可能となっている。
【００２６】
スクリーン１３は、例えば、液晶材料を用い、散乱状態と入射光の散乱が小さい透明な透過状態を変化させる調光スクリーンなどでよい。調光スクリーンには、例えば、高分子分散液晶などの液晶素子を用いたものなどがある。
【００２７】
図２に、光学状態を制御可能なスクリーン１３の模式的な断面図を示す。図２に示したスクリーン１３は、一対の透明なガラス板２１、２２の間に液晶を含む複合材料等を挟み込んだ光学層２５を有する。一方のガラス板２１の光学層２５側には、コモン電極２３が形成される。他方のガラス板２２の光学層２５側には、スキャン電極２４が形成される。なお、電極２３、２４と光学層２５との間に、絶縁体からなる中間層を形成してもよい。
【００２８】
また、コモン電極２３およびスキャン電極２４は、たとえばＩＴＯ（酸化インジウム・スズ）により、透明電極として形成される。光学層２５は、コモン電極２３とスキャン電極２４との間に配置される。
【００２９】
スクリーン１３は、第１電極としてのスキャン電極２４と第２電極としてのコモン電極２３との間に電位差を生じるように電圧が印加される。光学層２５内の光学状態は、コモン電極２３とスキャン電極２４の印加電圧により変化する。
【００３０】
スクリーン１３は、電位差を生じるように電圧が印加された際の状態によりリバースモードとノーマルモードに分類される。リバースモードで動作するスクリーン１３は、電圧を印加していない通常状態において、スクリーン１３が透明な透過状態となる。電圧を印加すると、印加電圧に応じた平行光線の散乱率の散乱状態となる。ノーマルモードで動作するスクリーンでは、電圧を印加していない通常状態において、スクリーン１３が散乱状態となる。電圧を印加すると、印加電圧に応じた平行光線透過率の透明な透過状態となる。そして、スクリーン１３の光学状態は、所定の散乱状態が映像状態に対応し、それよりも平行光線透過率が高い透明な透過状態が非映像状態に対応する。なお、以下の説明では、リバースモードで説明するがノーマルモードでも適用できる。
【００３１】
次に、上述した構成の表示装置１における駆動動作を図３のタイミングチャートを参照して説明する。スクリーンＡ制御信号はスクリーン駆動装置８が出力するスクリーン１３ａに対する透過状態と散乱状態との切替信号（Ｈｉが散乱状態にする）である。同様に、スクリーンＢ制御信号はスクリーン駆動装置８が出力するスクリーン１３ｂに対する透過状態と散乱状態との切替信号、スクリーンＣ制御信号はスクリーン駆動装置８が出力するスクリーン１３ｃに対する透過状態と散乱状態との切替信号、スクリーンＤ制御信号はスクリーン駆動装置８が出力するスクリーン１３ｄに対する透過状態と散乱状態との切替信号である。
【００３２】
スクリーン１３Ａ  ＯＮ＿ＯＦＦ状態はスクリーン１３ａの光学状態（Ｈｉが散乱状態、Ｌｏが透過状態）である。同様にスクリーン１３Ｂ  ＯＮ＿ＯＦＦ状態はスクリーン１３ｂの光学状態、スクリーン１３Ｃ  ＯＮ＿ＯＦＦ状態はスクリーン１３ｃの光学状態、スクリーン１３Ｄ  ＯＮ＿ＯＦＦ状態はスクリーン１３ｄの光学状態である。
【００３３】
プロジェクタ投影期間は、プロジェクタ３から投影光が投影される期間を示し、Ａはスクリーン１３ａに投影される映像の投影期間、Ｂはスクリーン１３ｂに投影される映像の投影期間、Ｃはスクリーン１３ｃに投影される映像の投影期間、Ｄはスクリーン１３ｄに投影される映像の投影期間である。
【００３４】
本実施例では、図３に示したように、基本的にスクリーン１３ａ、１３ｂ、１３ｃ、１３ｄのうちいずれか１つを散乱状態とする。その際に、観察者からみて奥に位置する（奥側）スクリーン１３ａから順に散乱状態に変化させている。また、隣接するスクリーンの切り換えは、例えば、スクリーン１３ａより１つ手前側に位置する（手前側）スクリーン１３ｂが散乱状態に切り替わりきったときに奥側に位置するスクリーン１３ａが透過状態に変化し始めるようにスクリーンＡ制御信号とスクリーンＢ制御信号との“Ｈｉ”の期間が一部重なるようになっている。
【００３５】
即ち、スクリーン駆動装置８（制御部）は、スクリーン１３ａ、１３ｂ、１３ｃ、１３ｄ（複数の表示部）のうち、観察者から離れた位置に画像を形成するスクリーン１３ａ（表示部）から観察者に近い位置に画像を形成するスクリーン１３ｄ（表示部）に向かって順次、投影光を透過する透過状態から投影光を散乱する散乱状態に切り替えている。また、スクリーン駆動装置８（制御部）は、スクリーン１３ａ、１３ｂ、１３ｃ、１３ｄ（複数の表示部）のうちの散乱状態である例えばスクリーン１３ａ（一の表示部）に隣接するスクリーン１３ｂ（他の表示部）が透過状態から散乱状態となったときに、スクリーン１３ａ（一の表示部）を透過状態に切り替え始めている。
【００３６】
ここで、このようにスクリーンの散乱状態と透過状態を切り替えることについて図４及び図５を参照して説明する。図４は、従来技術のようにブランク期間が設けられており、かつ、観察者から見て手前から奥の順に散乱状態が切り替わる場合である。図４（ａ）の上段に示した波形は２つのスクリーンの透過状態と散乱状態とを示したものであり、実線が手前側、一点鎖線が奥側を示す。図４（ａ）の下段に示した波形はプロジェクタ３の投影の有無を示す波形である。なお、プロジェクタ３は２つのスクリーンの更に奥に配置されているとする。
【００３７】
図４（ａ）の場合、まず、図４（ｂ）に示したように、手前側のスクリーンのみを散乱状態にする。この場合、プロジェクタ３からの投影光は、透過状態である奥側のスクリーンをそのまま透過して手前側のスクリーンで散乱される。次に、図４（ａ）に示したように、手前側のスクリーンが透過状態に切り替わり始め、所定期間経過後奥側のスクリーンが散乱状態に切り替わり始める。この場合、図４（ｃ）に示したように、奥側のスクリーンが散乱状態に切り替わった場合（強い散乱）であっても手前側のスクリーンは弱い散乱状態となっている。したがって、奥側のスクリーンで投影光が散乱されても、投影光のうち散乱しなかった突き抜け成分が弱い散乱状態の手前側のスクリーンで散乱されてしまいゴーストとして観察されてしまう。
【００３８】
図５は、本実施例の場合であり、ブランク期間がなく、かつ、観察者から見て奥から手前の順に散乱状態が切り替わる場合である。図５（ａ）の上段に示した波形は２つのスクリーンの透過状態と散乱状態とを示したものであり、実線が奥側、一点鎖線が手前側を示す。図５（ａ）の下段に示した波形はプロジェクタ３の投影の有無を示す波形である。
【００３９】
図５（ａ）の場合、まず、図５（ｂ）に示したように、奥側のスクリーンのみを散乱状態にする。この場合、プロジェクタ３からの投影光は、奥側のスクリーンで散乱される。手前側のスクリーンは透過状態なので奥側のスクリーンで散乱された散乱光は前記した突き抜け成分とともに透過する。次に、図５（ｃ）に示したように、奥側のスクリーンが透過状態に切り替わり始めるとともに、手前側のスクリーンが散乱状態に切り替わり始める。この場合、手前側のスクリーンが散乱状態に切り替わって（強い散乱）投影光が投影されると、奥側のスクリーンは弱い散乱状態のため当該投影光が弱く拡散されるが、手前側のスクリーンによる散乱でぼやかされてゴースト等としては殆ど観察できない。
【００４０】
また、図５のような順序でスクリーンの散乱状態を切り替えることで、ブランク期間をなくすことができる。図４の順序の場合は、ブランク期間を設けて手前側の透過率をある程度上昇させないと上述したようにゴーストが観察されてしまう。本実施例（図５）の順序であれば、ゴーストを抑えるとともにスクリーン間の切り替え期間が実質的になくなり、見かけ上スクリーンの応答時間を短縮できる。
【００４１】
本実施例によれば、表示装置１は、重ねて配置されているスクリーン１３ａ、１３ｂ、１３ｃ、１３ｄと、スクリーン１３ａ、１３ｂ、１３ｃ、１３ｄを、観察者から離れた位置に画像を形成するスクリーン１３ａから観察者に近い位置に画像を形成するスクリーン１３ｂに向かって順次投影光を透過する透過状態から投影光を散乱する散乱状態に切り替えるスクリーン駆動装置８と、を備えている。そして、スクリーン駆動装置８は、スクリーン１３ａ、１３ｂ、１３ｃ、１３ｄのうち散乱状態であるスクリーン１３ａに隣接するスクリーン１３ｂが透過状態から散乱状態となったときに、スクリーン１３ａを透過状態に切り替え始める。このようにすることにより、スクリーン１３ａとスクリーン１３ｂとの切替期間を最小にして、ブランク期間を設けずにスクリーン１３ｂへ切り替えることができる。また、観察者から離れたスクリーン１３ａから順次散乱状態にするので、前の層の散乱状態によるゴーストが観察されにくくなる。よって、ブランク期間を設けなくてもゴーストの発生を抑えることができる。
【００４２】
なお、上述した説明では、手前側のスクリーンが散乱状態に切り替わりきったときに奥側のスクリーンを透過状態に切り替え始めているが、手前側のスクリーンが散乱状態に切り替わりきったときに限らず、切り替わりきった以後であればよい。また、散乱状態に切り替わりきったとは、スクリーンとして映像を表示できる程度の透過率（奥側のスクリーンによるゴーストが見えない程度の透過率）であればよい。
【実施例２】
【００４３】
次に、本発明の第２の実施例にかかる表示装置を図６を参照して説明する。なお、前述した第１の実施例と同一部分には、同一符号を付して説明を省略する。
【００４４】
本実施例は、上述した表示装置１をヘッドアップディスプレイに応用した例である。ヘッドアップディスプレイ１００は図６に示すように、表示装置１と、フィールドレンズ２と、プロジェクタ３と、ミラー４と、コンバイナ７と、を備え、自動車等の車両に搭載される。
【００４５】
フィールドレンズ２は、表示装置１からの出射光をコンバイナ７の方向へ集光する。
【００４６】
ミラー４は、プロジェクタ３から投影された投影光を表示装置１に向けて反射する。
【００４７】
反射部としてのコンバイナ７は、例えば自動車のフロントガラス（ウインドシールドともいう）に設けられ、フィールドレンズ２からの出射光（映像光）を観察者に向けて反射する。
【００４８】
上述したヘッドアップディスプレイ１００は、映像制御装置６から出力された映像（画像）がプロジェクタ３から映像光として投射され、ミラー４で反射されて表示装置１のスクリーン１３に投影される。スクリーン１３に投影された映像は、フィールドレンズ２を介してコンバイナ７で観察者に向けて反射されることで、観察者からはコンバイナ７（フロントガラス）を挟んだ先に虚像Ｖが形成されて視認される。
【００４９】
本実施例の場合、観察者が観察するのは虚像Ｖであるので、虚像Ｖを構成する画像が観察者から離れた位置に形成される画像から観察者の近い位置に形成される画像の順となるように、複数のスクリーンの散乱状態への切り替え順序を定める。
【００５０】
本実施例によれば、表示装置１をヘッドアップディスプレイ１００に用いているので、ヘッドアップディスプレイ１００においてゴーストの観察を抑えることができる。また、虚像を利用して奥行き感を持った表示をすることができる。
【００５１】
なお、本実施例では、虚像を表示する装置としてヘッドアップディスプレイ１００で説明したが、それに限らず、例えば、アミューズメント機器やショーケース等、他の虚像を表示することがある装置に適用することができる。
【実施例３】
【００５２】
次に、本発明の第３の実施例にかかる表示装置を図７及び図８を参照して説明する。なお、前述した第１、第２の実施例と同一部分には、同一符号を付して説明を省略する。
【００５３】
本実施例は、投影部がレーザプロジェクタ３Ａとなっている点が異なる。つまり、本実施例における表示装置にはレーザプロジェクタ３Ａも含む。
【００５４】
図７にレーザプロジェクタ３Ａの概略構成図を示す。レーザプロジェクタ３Ａは、緑色レーザ光源３ａと、赤色レーザ光源３ｂと、青色レーザ光源３ｃと、コリメートレンズ３ｄ、３ｅ、３ｆと、ダイクロイックプリズム３ｇ、３ｈと、ＭＥＭＳ（Micro Electro Mechanical Systems）ミラー３ｉと、ＭＥＭＳコントローラ３ｊと、投射レンズ３ｋと、を備えている。
【００５５】
図７に示したレーザプロジェクタ３Ａは、図示していないレーザ駆動回路により駆動された緑色レーザ光源３ａから出力されたレーザ光が、コリメートレンズ３ｄによって略平行光に整形され、ダイクロイックプリズム３ｇ、３ｈを透過して、ＭＥＭＳミラー３ｉで投射レンズ３ｋに向けて反射する。
【００５６】
同様に、赤色レーザ光源３ｂから出力されたレーザ光はコリメートレンズ３ｅによって略平行光に整形され、ダイクロイックプリズム３ｇでダイクロイックプリズム３ｈに向けて反射し、ダイクロイックプリズム３ｈを透過して、ＭＥＭＳミラー３ｉで投射レンズ３ｋに向けて反射する。
【００５７】
同様に、青色レーザ光源３ｃから出力されたレーザ光はコリメートレンズ３ｆによって略平行光に整形され、ダイクロイックプリズム３ｈでＭＥＭＳミラー３ｉに向けて反射し、更にＭＥＭＳミラー３ｉで投射レンズ３ｋに向けて反射する。
【００５８】
ＭＥＭＳミラー３ｉは赤青緑の各色のレーザ光を投射レンズ３ｋを介してスクリーン１３に向けて投射する。
【００５９】
ＭＥＭＳコントローラ３ｊは、ＭＥＭＳミラー３ｉを可動させてＭＥＭＳミラー３ｉが赤青緑の各色のレーザ光を反射する方向を制御する。つまり、レーザ光による走査を制御する。即ち、ＭＥＭＳミラー３ｉとＭＥＭＳコントローラ３ｊとが走査部として機能する。なお、走査部として機能するのはＭＥＳＭミラーに限らず、他の方式のミラー等の光学素子であってもよい。
【００６０】
次に、上述した構成のレーザプロジェクタ３Ａにおける走査駆動について図８を参照して説明する。図８は、レーザプロジェクタ３Ａがスクリーン１３に対して映像を投射する際の走査波形である。図８で水平方向は映像の水平方向、垂直方向は映像の垂直方向を示す。映像は、映像が表示されるスクリーンを示し、Ａがスクリーン１３ａ、Ｂがスクリーン１３ｂ、Ｃがスクリーン１３ｃ、Ｄがスクリーン１３ｃをそれぞれ示している。
【００６１】
水平方向は、従来と同様にラインごとに映像の左から右へ走査する。垂直方向は、まず１番目のスクリーン（スクリーン１３ａ）について映像の上（一方）から下（他方）に走査する。次に２番目のスクリーンについて映像の下（他方）から上（一方）に走査（スクリーン１３ｂ）する。次に３番目のスクリーン（スクリーン１３ｃ）について映像の上から下に走査する。次に４番目のスクリーン（スクリーン１３ｄ）について映像の下から上に走査する。そして再度スクリーン１３ａからの走査を繰り返す。
【００６２】
本実施例によれば、レーザ光源を用いているレーザプロジェクタ３Ａを更に備え、レーザプロジェクタ３Ａは、垂直走査を、例えば、スクリーン１３ａの上から下に行った後にスクリーン１３ｂの下から上へ行うようにしている。このようにすることにより、スクリーン１３の切り換えの際にレーザプロジェクタ３Ａはブランキング期間を設ける必要なく走査をすることができる。
【００６３】
なお、上述した実施例では、垂直方向の走査について、一方から他方の走査の次は他方から一方に走査するようにしていたが、水平方向の走査についても同様（左から右、右から左）にして行ってもよい。このようにすることにより、水平方向のブランキング期間が不要となり、映像の走査期間を短縮することができる。したがって、一定期間内に走査できるスクリーンの数を増やすことができるので、スクリーンを重ねる数を多くすることができる。
【００６４】
また、本発明は上記実施例に限定されるものではない。即ち、当業者は、従来公知の知見に従い、本発明の骨子を逸脱しない範囲で種々変形して実施することができる。かかる変形によってもなお本発明の表示装置の構成を具備する限り、勿論、本発明の範疇に含まれるものである。
【符号の説明】
【００６５】
１               表示装置
３               プロジェクタ
３Ａ             レーザプロジェクタ
７               コンバイナ（反射部）
８               スクリーン駆動装置（制御部）
１３ａ           スクリーン（表示部）
１３ｂ           スクリーン（表示部）
１３ｃ           スクリーン（表示部）
１３ｄ           スクリーン（表示部）
【図１】
2017183874.tif 000003
【図２】
2017183874.tif 000004
【図３】
2017183874.tif 000005
【図４】
2017183874.tif 000006
【図５】
2017183874.tif 000007
【図６】
2017183874.tif 000008
【図７】
2017183874.tif 000009
【図８】
2017183874.tif 000010